(57)【特許請求の範囲】
【請求項１】
設定項目や実測値を表示するベース画面上に制御装置のメッセージを表示するアラーム画面を重なるように表示した表示部を備えた制御装置のメッセージ表示方法において、前記ベース画面上に重なって表示されている前記アラーム画面をタッチして当該画面を選択した際、当該アラーム画面を前記ベース画面の下に移動することにより前記表示部から非表示にすることにより前記アラーム画面と重ならないように前記ベース画面を表示し、前記アラーム画面をタッチして選択した時点からタイマ部により計時し、この間は前記ベース画面に表示されている各種項目を確認しながら前記設定項目の変更を行うことを可能とし、計時された計時時間が所定時間を経過した後には前記ベース画面上に非表示になった前記アラーム画面を自動的に表示することを特徴とする制御装置のメッセージ表示方法。
【請求項２】
前記アラーム画面に表示されるメッセージは、前記制御装置の動作状況を、警告又は確認するものであることを特徴とする請求項１記載の制御装置のメッセージ表示方法。
【請求項３】
前記アラーム画面は、前記ベース画面より小さいことを特徴とする請求項１又は２記載の制御装置のメッセージ表示方法。
【請求項４】
前記制御装置を射出成形機としたことを特徴とする請求項１〜３の何れか１項に記載の射出成形機のメッセージ表示方法。
【発明の詳細な説明】
【技術分野】
【０００１】
本発明は、射出成形機などの制御装置に備えた表示部に、警告などを表示するメッセージ表示方法に関する。
【背景技術】
【０００２】
従来から、物品の成形・加工を行う射出成形機などにおいては、一般的に、その稼動状況などを表示するためのディスプレイ装置が設けられている。このようなディスプレイ装置の表示部には、表示部の操作画面に触れることで、直接操作を行うタッチパネル機能を有するものが一般的に普及してきている。
【０００３】
ところで、前記表示部は、一般的に表示部の大きさが小さい為、複数の画面が表示部に相互に重なるようにして複数配置されるものが多く用いられており、こうした従来技術に関連するものとして、特許文献１には、射出成形機の動作条件を入力するテンキーを含む設定支援ボードをディスプレイに表示した設定画面上の任意の位置に設定支援ボードを重なった状態で表示するものが開示されている。
【０００４】
【特許文献１】特開２００４−１５５０７３号公報
【発明の開示】
【発明が解決しようとする課題】
【０００５】
しかし、上記背景技術においては、ベース画面としての設定画面上に表示されている設定支援ボードを指先でタッチした状態で所望の位置に設定支援ボートを移動することができるので、メイン設定支援ボートの下側に隠れてしまった設定画面上のデータ表示を、設定支援ボートを移動することで確認することは可能ではあるものの、設定支援ボードは指先の移動に追従させて移動させなければならないので、その移動作業が煩わしく、しかも、移動するのに時間がかかってしまうことから、操作性がいいとはいえるものではなかった。
【０００６】
本発明は、上記課題に鑑みてなされたものであり、非表示にしたい画面を一回の操作で非表示にした後、続いてその非表示になった画面を自動的に再表示することにより、操作の簡略化を図り利便性を向上させた制御装置のメッセージ表示方法及び射出成形機のメッセージ表示方法を提供することを目的とする。
【課題を解決するための手段】
【０００７】
請求項１の制御装置のメッセージ表示方法は、設定項目や実測値を表示するベース画面上に制御装置のメッセージを表示するアラーム画面を重なるように表示した表示部を備えた制御装置のメッセージ表示方法において、前記ベース画面上に重なって表示されている前記アラーム画面をタッチして当該画面を選択した際、当該アラーム画面を前記ベース画面の下に移動することにより前記表示部から非表示にすることにより前記アラーム画面と重ならないように前記ベース画面を表示し、前記アラーム画面をタッチして選択した時点からタイマ部により計時し、この間は前記ベース画面に表示されている各種項目を確認しながら前記設定項目の変更を行うことを可能とし、計時された計時時間が所定時間を経過した後には前記ベース画面上に非表示になった前記アラーム画面を自動的に表示することを特徴とする。
【０００８】
請求項１により、ベース画面の設定項目に数値などを入力する際、ベース画面上のアラーム画面を選択して非表示にすることで、ベース画面の全体を表示部に表示することが可能となり、ベース画面上に配置されていたアラーム画面が邪魔になることなくベース画面の全体を一目して容易に確認することができ、さらに、非表示となったアラーム画面は、所定時間経過後に自動的にベース画面上に再び表示されるので、アラーム画面を非表示にした後に自動的に再表示される一連の動作は、アラーム画面を選択する一回の操作により行うことができるので操作性に優れる。また、入力対象となるベース画面を選択せずに、表示のみのアラーム画面の選択により、ベース画面の全体を表示することができるので、設定項目を有するベース画面に誤って触れてしまい誤操作することを防止することができる。さらに、アラーム画面を非表示にする選択を、アラーム画面にタッチすることで容易に行うことができる。
【０００９】
請求項２のユーザ管理機能を備えた成形機は、請求項１記載の制御装置のメッセージ表示方法において、前記アラーム画面に表示されるメッセージは、前記制御装置の動作状況を、警告又は確認するものであることを特徴とする。
【００１０】
請求項２により、射出成形機などの制御装置の動作状況を表示部を目視することで、簡単に確認することができる。
【００１１】
請求項３の制御装置のメッセージ表示方法は、請求項１又は２記載の制御装置のメッセージ表示方法において、前記アラーム画面は、前記ベース画面より小さいことを特徴とする。
【００１２】
請求項３により、アラーム画面よりベース画面が大きいので、アラーム画面を非表示にしなくても、ベース画面の内容の一部を確認することができる。
【００１３】
請求項４の射出成形機のメッセージ表示方法は、請求項１〜３の何れか１項に記載の射出成形機のメッセージ表示方法において、前記制御装置を射出成形機としたことを特徴とする。
【００１４】
請求項４により、ベース画面の設定項目に数値などを入力する際、ベース画面上のアラーム画面を選択して非表示にすることで、ベース画面の全体を表示部に表示することが可能となり、ベース画面上に配置されていたアラーム画面が邪魔になることなくベース画面の全体を一目して容易に確認することができ、さらに、非表示となったアラーム画面は、所定時間経過後に自動的にベース画面上に再び表示されるので、アラーム画面を非表示にした後に自動的に再表示される一連の動作は、アラーム画面を選択する一回の操作により行うことができるので操作性に優れる。また、入力対象となるベース画面を選択せずに、表示のみのアラーム画面の選択により、ベース画面の全体を表示することができるので、ベース画面の設定項目を誤って操作することを防止することができる。
【発明の効果】
【００１５】
本発明の請求項１の制御装置のメッセージ表示方法によれば、設定項目や実測値を表示するベース画面上に制御装置のメッセージを表示するアラーム画面を重なるように表示した表示部を備えた制御装置のメッセージ表示方法において、前記ベース画面上に重なって表示されている前記アラーム画面をタッチして当該画面を選択した際、当該アラーム画面を前記ベース画面の下に移動することにより前記表示部から非表示にすることにより前記アラーム画面と重ならないように前記ベース画面を表示し、前記アラーム画面をタッチして選択した時点からタイマ部により計時し、この間は前記ベース画面に表示されている各種項目を確認しながら前記設定項目の変更を行うことを可能とし、計時された計時時間が所定時間を経過した後には前記ベース画面上に非表示になった前記アラーム画面を自動的に表示するので、アラーム画面の非表示時に、ベース画面の全体を一目して容易に確認することができ、且つ、非表示にしたい画面を一回の選択操作で非表示にした後、続いてその非表示になった画面を、所定時間経過後に自動的に再表示するので、操作の簡略化を図ることができるので操作性に優れる。さらにアラーム画面を非表示にする選択操作を、アラーム画面をタッチして簡単に行うことができる。
【００１６】
本発明の請求項２の制御装置のメッセージ表示方法によれば、請求項１の記載において、前記アラーム画面に表示されるメッセージは、前記制御装置の動作状況を、警告又は確認するものであり、表示部を目視することで、制御装置の動作状況を一瞥して確認することができるので、利便性を向上することができる。
【００１７】
本発明の請求項３の制御装置のメッセージ表示方法によれば、請求項１又は２の記載において、前記アラーム画面は、前記ベース画面より小さいので、アラーム画面を非表示にしない際に、ベース画面の内容の一部を確認することができるので利便性がよい。
【００１８】
本発明の請求項４の制御装置のメッセージ表示方法によれば、請求項１〜３の何れか１項の記載において、前記制御装置を射出成形機とした場合、この射出成形機のアラーム画面の非表示時に、ベース画面の全体を一目して容易に確認することができ、且つ、非表示にしたい画面を一回の選択操作で非表示にした後、続いてその非表示になった画面を、所定時間経過後に自動的に再表示するので、操作性に優れた射出成形機を提供することができる。
【発明を実施するための最良の形態】
【００１９】
以下、本発明の具体的実施例について、図面を参照しながら説明する。なお、以下の実施態様は、本発明を具体化する際の一形態であって、本発明をその範囲内に限定するためのものではない。
【００２０】
図１は本実施例の射出成形機の概略図、図２は射出成形機の制御系統を示すブロック図、図３は射出成形機の表示部にベース画面を表示している状態を示す説明図、図４はベース画面上にアラームが表示された状態を示す説明図、図５は表示部からアラームを非表示にする動作手順を示すフローチャートであり、図１〜５を参照しながら本実施例の制御装置としての射出成形機を以下に説明する。
【００２１】
本実施例における射出成形機１は、一般的に用いられている公知のものとほぼ同様の構造を有しており、機械的な動作により物品の成形を行い、主に金型２の開閉を行う型締めユニット３と樹脂材料を加熱溶融し金型２のキャビティ４に射出する射出ユニット５などを構成する成形機構部１０を備えている。
【００２２】
射出成形機１には、図２に示すように、ユーザに対する出力インターフェースである表示部１１とユーザからの入力を受ける入力インターフェースである入力部１２とが兼用されたタッチパネル１３と、射出ユニット、成形機構部１０などの射出成形機１の全体の制御を行うマイコンなどの制御手段１５と、表示部１１と同じ若しくは略同じ大きさで表示される射出成形機１の設定項目の入力や実測値などを表示するベース画面１６と、このベース画面１６上に表示されるベース画面より表示の小さいサブ画面たるアラーム画面１７と、アラーム画面１７の表示／非表示の制御を行う画像表示処理手段１８と、タッチパネル１３の操作により入力される入力部１２からの信号の判別などを行う入力処理手段１９と、ベース画面１６にアラーム画面１７を所定時間非表示する経過時間を計るタイマ部２０などを備える。
【００２３】
そして、例えば、稼動状況にある射出成形機１に発生した不具合などが、画面処理手段１８により、アラーム画面１７がベース画面１６上に警告として表示されている時に、ユーザが表示部１１のアラーム画面１７に選択のためにタッチして操作すると、タイマ部２０が作動して予め設定しておいた所定時間を計測し、その計測時間の経過後に、画像表示処理手段１８が、ベース画面１６上の元の位置にアラーム画面１７を再び表示する。
【００２４】
すなわち、ユーザに対し射出成形機１の警告などのメッセージをアラーム画面１７として表示されている状態で、ユーザが射出成形機１の各種実測値などの表示されているベース画面１６の全体の内容を確認したい時には、ベース画面１６上に表示されているアラーム画面１７を非表示にすることが必要であるため、表示部１１のアラーム画面１７の部分にタッチすることにより、ベース画面１６上からアラーム画面１７を一時的に非表示にする。
【００２５】
次に、アラーム画面を非表示にした後再び表示する動作を図５に基づいて以下に説明する。射出成形機１を稼動すると、表示部１１に射出成形機１の稼動状況を示す各種実測値や設定項目がベース画面１６に表示され（ステップ１）、通常は、ベース画面１６上の表示を見たり、その表示された設定項目の変更が可能となる。そして、制御手段１５が、機械の稼動状況によって射出成形機１に不具合が発生したか否かを判定し、この判定に基づいてアラーム画面１７を表示するか否かを判別する（ステップ２）。ここで、不具合が発生していない場合には、ベース画面１６の設定項目の表示を確認しながら設定項目の変更操作が可能であり（ステップ３）、ステップ２にて不具合が発生した時には、アラーム画面１７がベース画面１６上に表示される（ステップ４）。そして、こうした状況にある時、ユーザがベース画面１６に表示されている設定項目の変更やベース画面の表示内容を確認したい時（ステップ５）には、ベース画面１６上に重なって表示されているアラーム画面１７にタッチする（ステップ６）と、アラーム画面１７がベース画面１６の下に移動することにより、表示部１１からアラーム画面１７が非表示となり（ステップ７）、ベース画面１６の全体を一瞥して確認することができ、ベース画面１６に表示されている各種項目を確認しながら設定項目の変更などを行なうことが可能となり（ステップ８）、且つ、アラーム画面１７をタッチしてタイマ部２０が作動中の間は、制御手段１５がタイマ部２０の作動の判別を行い（ステップ９）、タイマ部２０が作動している際はステップ７に戻り、アラーム画面１７の非表示状態を継続する一方で、タイマ部２０の作動が所定時間を経過してその作動が終了した際には、制御手段１５の画面表示処理手段１８により、ベース画面１６上にアラーム画面１７が再び表示される（ステップ１０）。
【００２６】
従って、図４に示すように、ベース画面１６上にアラーム画面１７が表示されている時に、単に、非表示にしたいアラーム画面１７をタッチして選択することで、アラーム画面１７の下にあるベース画面１６に表示されている射出成形機１の設定項目又は実測値などを設定変更することが可能となり、続いて、非表示となったアラーム画面１７をベース画面１６上に再び表示することができる。
【００２７】
すなわち、ベース画面１６の全体を視認するために、ベース画面１６上に配置されたアラーム画面１７を、ベース画面１６の後側に配置して、アラーム画面１７を表示しない状態に切り替える時には、パソコンなどの従来から用いられている表示装置では、全体を表示したい画面をマウス操作などにより選択したり、タッチパネルにより見たい表示に触れることで最前面に表示するものに過ぎないが、こうした従来の表示装置と異なる本実施例においては、表示部のアラーム画面１７に一回タッチすると、タイマ部２０が作動して所定時間を計時すると共に、制御手段１５がタイマ部２０の作動を判別し、画像表示処理手段１８が、アラーム画面１７をベース画面１６下に配置してアラーム画面１７を一時的に非表示にし、続いて非表示になったアラーム画面１７は、タイマ部２０の計時時間に基づいて、再びベース画面１６上にアラーム画面１７を自動的に表示する。つまり、ユーザにとっては、一回のタッチパネル１３の操作により、アラーム画面１７の非表示と表示の二つの一連の動作を一回の操作で簡単に行うことができるので、操作性が優れ利便性を向上することができる。
【００２８】
以上のように、本実施例における制御装置たる射出成形機１においては、ベース画面１６上に配置されたサブ画面としてのアラーム画面１７を選択した際、このアラーム画面１７が非表示になることにより、アラーム画面１７と重ならないようにベース画面１６を表示させ、アラーム画面１７を非表示にする、アラーム画面１７にタッチして選択した時点から、タイマ部２０が作動し、このタイマ部２０に予め設定した所定時間経過後に、画像表示処理手段１８がベース画面１６上に非表示になったアラーム画面１７を自動的に再び表示する。これにより、ベース画面１６の入力項目に数値などを入力する際、ベース画面１６上のアラーム画面１７を選択して非表示にすることで、ベース画面１６の全体を表示部１１に表示することが可能となり、ベース画面１６上に配置されていたアラーム画面１７が邪魔になることなくベース画面１６の全体を一目して容易に確認することができる。さらに、非表示となったアラーム画面１７は、所定時間経過後に自動的にベース画面１６上に再び表示されるので、アラーム画面１７を非表示にした後に自動的に再表示される一連の動作は、アラーム画面１７を選択する一回の操作により行うことができるので操作性に優れる。また、設定項目などの入力対象となるベース画面１６を選択対象とせずに、警告などのメッセージのみを表示するアラーム画面１７を選択することにより、ベース画面１６の全体を表示することができるので、入力項目を有するベース画面１６に誤って触れてしまい誤操作することを防止することができる。
【００２９】
しかも、アラーム画面１７に表示されるメッセージは、射出成形機１の動作状況を、警告又は確認するものなので、射出成形機１の動作状況を表示部１１を視ることで、簡単且つ確実に確認することができるので利便性を向上することができ、ひいては、射出成形機１に不測の事態などの故障が生じたとしても、こうした不具合を未然に防止することが可能となる。
【００３０】
さらに、アラーム画面１７を選択する際、表示部１１に表示されているアラーム画面１７にタッチして非表示にすることができるタッチパネル１３なので、アラーム画面１７の選択操作を容易に行うことができる。
【００３１】
なお、本実施例では、制御装置の一例として射出成形機１を用いて説明したが、本発明をこれに限るものではなく、プレス加工機や切削加工機などの制御装置に対して適用することも可能である。
【図面の簡単な説明】
【００３２】
【図１】本発明の一例を示す射出成形機の概略図である。
【図２】同上、射出成形機の制御系統を示すブロック図である。
【図３】同上、射出成形機の表示部にベース画面を表示している状態を示す説明図である。
【図４】同上、ベース画面上にアラームが表示された状態を示す説明図である。
【図５】同上、表示部からアラームを非表示にする動作手順を示すフローチャートである。
【符号の説明】
【００３３】
１  射出成形機（制御装置）
１１  表示部
１６  ベース画面
１７  アラーム画面
２０  タイマ部
【図１】
0004699120.tif 000002
【図２】
0004699120.tif 000003
【図３】
0004699120.tif 000004
【図４】
0004699120.tif 000005
【図５】
0004699120.tif 000006